(57)【特許請求の範囲】
【請求項１】
搬送されたシートに形成された識別情報を読み取る読取部と、
前記読取部の下流側に設けられシートに形成された画像の一部又は全部を消去する消去部と、
前記消去部の下流側に設けられシートに画像を形成する画像形成部と、
前記シートの利用者が予め登録された利用者であるか否かを認証するユーザ認証部と、
前記消去部を制御してシートに形成された画像を消去し、前記読取部によって読取られた識別情報に対応する画像データを記憶部から取得し、この識別情報に対応する画像データに基づいて前記画像形成部を制御してシートへの印刷を行うよう制御する制御部と、
を備え、
前記制御部は、前記消去部を制御して前記識別情報に対応する画像データが示す画像と同一の画像のみを消去し、前記ユーザ認証部によって前記シートの利用者が予め登録された利用者であると判定された場合に、前記識別情報に対応する画像データに基づいて前記画像形成部を制御してシートへの印刷を行うよう制御する、
画像消去装置。
【請求項２】
前記制御部は、前記識別情報と前記画像データとを対応づけて記憶している前記記憶部から、前記読取部によって読み取られた前記識別情報に対応づけられた前記画像データを取得し、
前記制御部は、前記読取部によって読み取られた前記識別情報に対応づけられた前記画像データが前記記憶部にない場合にエラーが発生したことを報知する報知部をさらに有する請求項１に記載の画像消去装置。
【請求項３】
搬送されたシートに形成された識別情報を読み取る読取ステップと、
前記シートに形成された画像の一部又は全部を消去する消去ステップと、
前記シートに画像を形成する画像形成ステップと、
前記シートの利用者が予め登録された利用者であるか否かを認証するユーザ認証ステップと、
前記シートに形成された画像を消去し、前記読取ステップによって読取られた識別情報に対応する画像データを記憶部から取得し、この識別情報に対応する画像データに基づいて前記シートへの印刷を行うよう制御する制御ステップと、
を有し、
前記制御ステップは、前記識別情報に対応する画像データが示す画像と同一の画像のみを消去するよう前記消去ステップを制御し、前記ユーザ認証ステップによって前記シートの利用者が予め登録された利用者であると判定された場合に、前記識別情報に対応する画像データに基づいて前記画像形成ステップを行うよう制御する、
画像消去方法。
【請求項４】
シートに形成された識別情報を読取る読取部と、前記読取部の下流側に設けられシートに形成された画像の一部又は全部を消去する消去部と、前記消去部の下流側に設けられシートに画像を形成する画像形成部と、前記シートの利用者が予め登録された利用者であるか否かを認証するユーザ認証部と、を有するコンピュータにて実行させるプログラムであって、
前記消去部によってシートに形成された画像を消去する消去機能と、
前記ユーザ認証部によって、前記シートの利用者の個人認証情報を取得し、取得した前記個人認証情報に基づいて前記利用者が予め登録された利用者であるか否かを認証するユーザ認証機能と、
前記読取部によって読取られた識別情報に対応する画像データを記憶部から取得する取得機能と、
前記ユーザ認証機能によって前記シートの利用者が予め登録された利用者であると判定された場合に、前記取得機能によって取得した前記識別情報に対応する画像データに基づいて前記画像形成部にて印刷する印刷機能と、
前記消去部を制御して前記識別情報に対応する画像データが示す画像と同一の画像のみを消去させる機能と、
をコンピュータに実行させるプログラム。
【発明の詳細な説明】
【技術分野】
【０００１】
本発明の実施形態は、画像消去装置、画像消去方法及びプログラムに関する。
【背景技術】
【０００２】
近年、イベント等のチケットの転売を防止するためにイベントの当日に座席番号が記載された座席指定券を発券する方法がある。この方法では、個人情報（例えば、氏名等）が記載された座席指定引換券と自身の身分証明書とをユーザがイベント会場に持参する。イベントの管理者によって座席指定引換券の個人情報とユーザの身分証明書とが一致すると認められた場合には、ユーザに座席指定券が発券される。この方法ではユーザの数に応じて座席指定引換券と座席指定券とを発行する必要がある。そのため、ユーザの数によってはチケットのコストが膨大になる場合があった。このような問題はチケットに限られた問題ではなく、ユーザに対して情報が形成された複数種のシートを発行する場合にも共通する問題である。
【先行技術文献】
【特許文献】
【０００３】
【特許文献１】特開２０１０−１１３３３７号公報
【発明の概要】
【発明が解決しようとする課題】
【０００４】
本発明が解決しようとする課題は、所定のシートに記載された情報とは別の情報をユーザに提示する場合に新たなシートを必要としない画像消去装置、画像消去方法及びプログラムを提供することである。
【課題を解決するための手段】
【０００５】
実施形態の画像消去装置は、読取部、消去部、画像形成部及び制御部を持つ。読取部は、搬送されたシートに形成された識別情報を読み取る。消去部は、前記読取部の下流側に設けられシートに形成された画像の一部又は全部を消去する。画像形成部は、前記消去部の下流側に設けられシートに画像を形成する。制御部は、前記消去部を制御してシートに形成された画像を消去し、前記読取部によって読取られた識別情報に対応する画像データを記憶部から取得し、この識別情報に対応する画像データに基づいて前記画像形成部を制御してシートへの印刷を行うよう制御する。
【図面の簡単な説明】
【０００６】
【図１】実施形態の画像消去装置１００の概略構成の一例を示す図。
【図２】実施形態の第１シートＳ１の概略構成の一例を示す図。
【図３】実施形態の第２シートＳ２の概略構成の一例を示す図。
【図４】実施形態の制御装置１８０の機能構成の一例を示す図。
【図５】実施形態の画像消去装置１００の処理の流れを示す図。
【発明を実施するための形態】
【０００７】
以下、実施形態の画像消去装置を、図面を参照して説明する。
【０００８】
図１は、実施形態の画像消去装置１００の概略構成の一例を示す図である。
実施形態の画像消去装置１００は、シートＳ上に形成された固有の識別情報３を読み取った後に、シートＳ上に形成された第１画像２を消去する。画像消去装置１００は、第１画像２を消去したシートＳ上に、読み取った識別情報３に紐付けされた第２画像４を形成する。例えば、シートＳは、画像（文字、写真、図など）を形成可能な紙媒体である。本実施形態では、シートＳがイベント等で使用されるチケットである場合を例に挙げて説明する。なお、以下の説明において、第１画像２及び識別情報３が形成されたシートＳを第１シートＳ１と称される場合がある。第２画像４が形成されたシートＳを第２シートＳ２と称される場合がある。第１シートＳ１と第２シートＳ２とは同一のシートＳであって、その違いはシートＳ上に形成されている画像である。実施形態の画像消去装置１００を用いることによってシートＳの記載内容を変更し、第１シートＳ１を第２シートＳ２に変更する。なお、第１シートＳ１は、画像消去装置１００とは別の装置によって生成されてもよいし、画像消去装置１００によって生成されてもよい。なお、本実施の形態では、消去処理の一例として加熱によって記録材料を消色し、もって画像を消去する消去処理を例に挙げて説明を行う。
【０００９】
本実施形態の画像消去装置１００は、記録材料である消色可能トナーや消色可能インク等により画像が形成されたシートＳに対し、所定温度（以下、消色温度あるいは目標温度と言う）以上の加熱により画像の色を消す消色処理を施す。消色可能な記録材料は、呈色性化合物、顕色剤、消去剤を含む。呈色性化合物は、例えばロイコ染料が挙げられる。顕色剤は、例えばフェノール類が挙げられる。消去剤は、加熱されると呈色性化合物と相溶し、顕色剤と親和性を有さない物質が挙げられる。消色可能な記録材料は、呈色性化合物と顕色剤との相互作用により発色し、消色温度以上の加熱により呈色性化合物と顕色剤との相互作用が絶たれるため、消色できる。
【００１０】
図２は、実施形態の第１シートＳ１の概略構成の一例を示す図である。
図２に示すように、第１シートＳ１は、第１画像２及び識別情報３を備える。第１画像２は、消色可能な色剤によって形成された画像である。例えば、第１画像２は、イベント等のチケットにおける座席指定引換券に関連する情報である。なお、第１画像２は、第１シートＳ１が画像消去装置１００に投入されることで、画像消去装置１００に消去される画像である。識別情報３は、各シートＳに割り当てられた固有の識別子を示す識別情報である。例えば、識別情報３は、シートＳ又はシートＳの利用者を識別する識別情報である。また、識別情報３はＱＲコード（登録商標）や二次元コードなどで形成される。識別情報３は、消色可能な色剤によって形成された画像でもよいし、消色不可能な色剤によって形成された画像でもよい。
【００１１】
図３は、実施形態の第２シートＳ２の概略構成の一例を示す図である。
図３に示すように、第２シートＳ２は、第２画像４及び識別情報３を備える。第２画像４の画像データは、対応する識別情報３と関連づけられ後述の記憶部１９３の画像記憶エリア１９０に保存される。第２画像４は、画像消去装置１００により第１シートＳ１上の第１画像２が消去された後に、画像消去装置１００によりシートＳ上に形成される。第２画像４は、消色可能な色剤によって形成された画像でもよいし、消色不可能な色剤によって形成された画像でもよい。例えば、第１画像２は、イベント等のチケットにおける座席指定券に関する情報である。本実施形態では、識別情報３は、画像消去装置１００により消去されない場合について説明するが、これに限定されない。例えば、識別情報３は、消色可能な色剤によって形成され、第１画像２が消去されるタイミングと同時に消去されてもよい。この場合、画像消去装置１００は、識別情報３を読み込んだ後に、第１画像２及び識別情報３の消去処理を実施する。
【００１２】
図１に戻り、画像消去装置１００の構成を説明する。画像消去装置１００は、給紙部１１０、搬送部１１５、読取部１２０、消去部１３０、画像形成部１４０、操作部１５０、排紙部１７０及び制御装置１８０を備える。
【００１３】
給紙部１１０は、第１画像２及び識別情報３が形成されたシートＳを画像消去装置１００内部へ給紙する。給紙部１１０はシートＳを投入する投入口やピックアップローラなど備える。例えば、第１画像２及び識別情報３が形成されたシートＳは、ユーザによって給紙部１１０に投入される。なお、給紙部１１０は、シートＳを載置するためのトレイを備えてもよい。この場合、第１画像２及び識別情報３が形成されたシートＳは、ユーザによってトレイに載置される。
【００１４】
搬送部１１５はシートＳを搬送するローラＲ１〜Ｒ５及び搬送路Ｄを備える。ローラＲ１は駆動ローラと従動ローラの対で構成される。ローラＲ２〜Ｒ５は、それぞれローラＲ１と同様の構成である。
【００１５】
なお、本実施の形態では、シートＳは給紙部１１０から排紙部１７０へと搬送されるため、給紙部１１０側をシートＳの搬送方向に対しての上流側とし、排紙部１７０側をシートＳの搬送方向に対しての下流側とする。
【００１６】
そして、給紙部１１０によって給紙されたシートＳは、給紙部１１０の下流側に設けられた読取部１２０へ搬送部１１５によって搬送される。
【００１７】
読取部１２０は、光学走査系を備える。光学走査系は、ＣＣＤ（Charge Coupled Devices）やＣＩＳ（Contact Image Sensor）等の撮像素子を含む。例えば、走査光学系は、複数の撮像素子が１次元又は２次元アレイ状に配置されることによって構成されている。読取部１２０は、給紙部１１０からローラＲ１を介して給紙されたシートＳの識別情報３を読み取る。読取部１２０は、後述の制御部１９１の命令に基づいて読み取った識別情報３を制御装置１８０に出力する。なお、読み取られた識別情報３は、後述の記憶部１９３に記憶する。
【００１８】
読取部１２０で識別情報３を読み取られたシートＳは、読取部１２０の下流側に設けられた消去部１３０へ搬送される。消去部１３０は、ローラ対と加熱源であるヒータを有する。ヒータは、例えば、ローラ対を構成するローラの少なくともどちらか一方のローラ内に設けられる。そして、ローラ対はヒータにより加熱される。これにより、消去部１３０では、ヒータにより消色可能なトナーを用いて形成されたシートＳの第１画像をこのローラ対を介して消色温度（目標温度）に加熱し、画像を形成するトナーを無色化する。また、図示はしないが、ローラ対の近傍には温度センサが設けられる。温度センサはローラ対の温度を測定し、測定結果を後述の制御装置１８０に送信する。なお、熱源は、ＩＨ（Induction Heating）技術を用いたヒータ等でもよい。
【００１９】
画像形成部１４０は消去部１３０の下流側に設けられている。画像形成部１４０は、消去部１３０からローラＲ２を介して供給されるシートＳに、シートＳに記載の識別情報３に対応付けられた第２画像４の画像データに基づいて、シートＳ上に第２画像４を形成する。画像形成部１４０は、周知のプリンタ部と定着部とから構成される。プリンタ部は制御装置１８０から送信される第２画像４の画像データに従って第２画像４を形成し、シートＳへ第２画像４を転写する。そして、定着部は所定の温度と圧力シートＳに加えて、シートＳに転写された第２画像４をシートＳへ定着する。この時、プリンタ部で形成される画像はカラーでもモノクロであってもよい。また、消去可能なトナーであっても消去不可能なトナーであってもよい。
【００２０】
排紙部１７０は、第２画像４が形成されたシートＳの取出口である。第２画像４が形成されたシートＳは、ユーザによって排紙部１７０から取り出される。上述したように、ユーザによりシートＳ１が給紙部１１０に投入されると、画像消去装置１００は、投入されたシートＳ上に形成された識別情報３を読み取る。そして、画像消去装置１００は、シートＳ上に形成された第１画像２を消去する。画像消去装置１００は、第１画像２を消去したシートＳ上に、読み取った識別情報３に紐付けされた第２画像４を形成する。画像消去装置１００は、第２画像４を形成されたシートＳを排紙部１７０に排出する。これにより、同一のシートＳにおいて、第１画像２が示すステータスから識別情報３に対応する第２画像４が示すステータスに変更することができる。
【００２１】
操作部１５０は、ユーザの操作に応じて作動要求信号を生成する。作動要求信号とは、読取、消色及び画像形成等の処理の内容を表す信号である。例えば、操作部１５０は、表示部及び操作部を備える。表示部及び操作部は、タッチパネル式の液晶ディスプレイである。なお、表示部及び操作部は、別々の装置によって構成されていてもよい。また、操作部は、タッチパネル式に代えて、プッシュ式ボタンやダイヤル式ボタン等を用いて構成されていてもよい。
【００２２】
以下に、図４を参照して、実施形態における制御装置１８０の機能構成について詳細に説明する。図４は、実施形態における制御装置１８０の機能構成の一例を示す図である。なお、画像消去装置１００が備える各機能部及び装置は、内部バスＩＢ等を介して接続されており、相互にデータの入出力を行うことができる。
【００２３】
制御装置１８０は、制御部１９１、通信Ｉ／Ｆ部１９２及び記憶部１９３を備える。
【００２４】
制御部１９１は、ＣＰＵ（Ｃｅｎｔｒａｌ  Ｐｒｏｃｅｓｓｉｎｇ  Ｕｎｉｔ）はＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）から構成される。制御部１９１は、通信Ｉ／Ｆ部１９２及び記憶部１９３、給紙部１１０、搬送部１１５、読取部１２０、消去部１３０、画像形成部１４０及び排出部１６０をそれぞれ制御する。
【００２５】
通信Ｉ／Ｆ部１９２は、外部の機器と接続するインターフェースである。例えば、通信Ｉ／Ｆ部１９２は、無線又は有線を介して外部装置、例えばサーバなどと通信する。通信Ｉ／Ｆ部１９２は、ＵＳＢ規格の接続端子が接続されるＵＳＢ接続部やパラレルインターフェース等を含んでもよい。
【００２６】
記憶部１９３は、識別情報３、第２画像４の画像データ、消去部１３０や画像形成部１４０の加熱温度などの閾値及び作動要求信号等の情報を記憶する。例えば、記憶部１９３は、ＨＤＤ、ＳＳＤ、ＥＥＰＲＯＭ、フラッシュメモリ等の不揮発性メモリである。なお、記憶部１９３は、制御装置１８０に内蔵されるものに代えて、外付け型の不揮発性記憶装置でもよい。
【００２７】
また、記憶部１９３には、画像記憶エリア１９０が存在する。画像記憶エリア１９０は、識別情報３の識別情報と第２画像４の画像データを対応付けて記憶する。なお、読取部１２０が識別情報３を読取ると、制御部１９１は取得した識別情報３に対応する第２画像４の画像データを画像記憶エリア１９０から取得する。制御部１９１は、画像形成部１４０を用いてシートＳの第１画像を消去した後に、シートＳに取得した第２画像４の画像データに基づいて第２画像４を印刷するよう画像消去装置１００を制御する。なお、この画像記憶エリア１９０は画像消去装置１００の外部のサーバにあってもよい。この場合、通信Ｉ／Ｆ部１９２を介して外部のサーバの画像記憶エリア１９０にアクセスする。
【００２８】
以上のような構成を備える画像消去装置１００において、予め設定されているプログラムに基づいて、図５に示す印刷ジョブを実行する。なお、消去部１３０はシートＳが給紙されたときには、制御部１９１の制御によってシートＳの画像を消去可能な温度に達している物とする。
【００２９】
制御部１９１は、給紙部１１０を制御してから投入されたシートＳを本体内に給紙する。制御部１９１は搬送部１１５のローラＲ１を制御して、読取部１２０へシートＳを搬送する（ＡＣＴ１０１）。
【００３０】
制御部１９１は読取部１２０を制御して、シートＳの識別情報３を読み取る。読取部１２０は読取った識別情報３を制御装置１８０に送信する。制御部１９１は記憶部１９３の所定の領域に、識別情報３を記憶する。その後、制御部１９１は搬送部１１５を制御して、シートＳを消去部１３０へ搬送する（ＡＣＴ１０２）。
【００３１】
制御部１９１は消去部１３０が所定の温度以上になるようヒータを加熱している。そして、搬送されたシートＳはヒータによって加熱されたローラ対により加熱される。シートＳに形成されたトナーは消色温度まで加熱され、シートＳに形成された第1画像は消去される（ＡＣＴ１０３）。
【００３２】
制御部１９１は、記憶部１９３に記憶する識別情報３を、画像記憶エリア１９０から検索する。そして、制御部１９１は、この識別情報３に対応する第２画像４の画像データを取得する（ＡＣＴ１０４）。
【００３３】
制御部１９１は画像形成部１４０を制御し、ＡＣＴ１０４で取得した第２画像４の画像データに基づいて、シートＳへ第２画像４の印刷を行う。シートＳには第２画像４が形成される（ＡＣＴ１０５）。
【００３４】
制御部１９１は搬送部１１５を制御して、画像形成部１４０により第２画像４が形成されたシートＳを、排紙部１７０に排紙する（ＡＣＴ１０６）。
【００３５】
以上説明した実施形態の画像消去装置１００は、シートＳ上に形成された識別情報３を読み取った後に、シートＳ上に形成された第１画像２を消去する。画像消去装置１００は、第１画像２を消去したシートＳ上に、読み取った識別情報３に紐付けされた第２画像４を形成する。そのため、所定のシートＳに記載された情報とは別の情報をユーザに提示する場合に、新たなシートを必要としない。したがって、シートのコストを抑制することができる。
また、画像消去装置１００は、シートＳにおいて、第１画像２を消去した領域に第２画像４を形成する。したがって、シートＳ上に、第２画像４を形成する領域を第１画像２が形成されている領域とは別に確保する必要がない。すなわち、シートＳ上には第１画像２のみが形成される領域があればよい。これにより、所定のシートＳに記載された情報とは別の情報を当該シートＳでユーザに提示する場合に、サイズの大きいシートＳを使用する必要がない。したがって、ユーザは、煩わしさを感じることなくシートＳを持ち運ぶことができる。
【００３６】
以下、実施形態の変形例について説明する。
【００３７】
画像消去装置１００は、第２画像４の画像データの読み取りや第２画像４の形成にエラーが発生した場合、ユーザにエラーが発生したことを報知する報知部を備えてもよい。例えば、報知部は、制御部１９１が識別情報３に対応する第２画像４の画像データを画像記憶エリア１９０から取得できない場合、ユーザにエラーが発生したことを報知する。又は報知部は、制御部１９１が識別情報３に対応する第２画像４の画像データが画像記憶エリア１９０に存在しない場合に、ユーザにエラーが発生したことを報知する。
例えば、報知部は、画像消去装置１００に備えられた表示灯（不図示）を点灯又は点滅させることでエラーを報知してもよい。報知部は、画像消去装置１００に備えられた音声部（不図示）から音声メッセージ又はブザー音を出力することでエラーを報知してもよい。音声部は、音声メッセージとブザー音とを交互に発生してもよい。例えば、音声部は、ブザーやスピーカである。報知部は、画像消去装置１００に備えられた表示部にエラーメッセージを出力することでエラーを報知してもよい。
【００３８】
画像消去装置１００は、ユーザを認証するためのユーザ認証部を備えてもよい。ユーザ認証部は、自装置が読み取ったユーザの個人認証情報に基づいて、ユーザの個人認証を実施する。例えば、ユーザ認証部は、ユーザの個人認証情報を、不図示のデータベースに記憶されている認証情報と比較照合することにより個人認証を実施する。ユーザ認証部は、読み取った個人認証情報が不図示の記憶部に記憶されている認証情報と一致した場合には個人認証が成功したと判定する。画像消去装置１００は、ユーザ認証部による個人認証が成功した場合に、シートＳの識別情報３の読み取りを開始する。例えば、ユーザ認証部は、顔認証ユニット、生体認証ユニット、又はカードリーダである。顔認証ユニットは、ユーザの顔の特徴を個人認証情報として読み取る。生体認証ユニットは、ユーザの手のひらや指等の生体的特徴を個人認証情報として読み取る。カードリーダは、ユーザが保有するＩＤカード等に格納されている個人認証情報を読み取る。これにより、画像消去装置１００は、コンサートやライブ等のイベントのチケットを正規に購入したことを確認する本人確認を行うことができる。したがって、本人確認が完了した後に、第２画像４が形成されたチケットが排出されるため、よりセキュリティの高い画像消去装置１００を提供することができる。
【００３９】
画像消去装置１００は、第１画像２と識別情報３とを消去する場合、第２画像４と新たな識別情報とをシートＳ上に形成してもよい。これにより、何度でもシートＳ上の画像を変更することができるため、シートＳを繰り返し利用できる。
【００４０】
画像消去装置１００は、シートＳ上に形成された第１画像２をすべて消去したが、これに限定されない。例えば、画像消去装置１００は、シートＳ上に形成された第１画像２の一部を消去してもよい。例えば、画像消去装置１００は、第２画像４と同一の画像に該当する第１画像２のみを消去する。その場合、消去部１３０の加熱部は、サーマルヘッドであることが望ましい。
【００４１】
上述の実施形態では、シートＳがイベント等で使用されるチケットである場合を例に挙げて説明したが、これに限定されない。例えば、シートＳが宝くじ券やゲーム用カードであってもよい。その場合、画像消去装置１００は、シートＳに形成された識別情報３があたりを示す情報か否か判定する。例えば、シートＳに形成された識別情報３は、絵柄、文字、又は番号である。画像消去装置１００は、読み取った識別情報３があたりを示す情報である場合、第１画像２を消去し、あたりであることを示す第２画像４をシートＳに形成する。
【００４２】
画像消去装置１００は、消去部１３０が消色装置である場合、消去部１３０において第２画像４が形成されたシートＳを加熱加圧定着してもよい。その場合、画像消去装置１００には、画像形成部１４０で第２画像４を形成したシートＳを消去部１３０にスイッチバックさせる反転経路を備える。
【００４３】
なお、本実施の形態では消去処理の一例として加熱によって画像の色を消す記述をしたが、本実施の形態に記載の消去とは、熱によりトナーの色を消すものに限定されない。例えば、光の照射によってシート上の画像を消去する処理であってもよいし、シートを薬剤につけこんでトナーを剥離させる処理でもよい。消去とは、シートを再利用可能にするために、シート上の画像を見えなくしたり、トナーを取り除くことを意図する。
【００４４】
以上述べた少なくともひとつの実施形態の画像消去装置１００は、シートＳ上に形成された識別情報３を読み取った後に、シートＳ上に形成された第１画像２を消去する。画像消去装置１００は、第１画像２を消去したシートＳ上に、読み取った識別情報３に紐付けされた第２画像４を形成する。そのため、所定のシートＳに記載された情報とは別の情報をユーザに提示する場合に、新たなシートを必要としない。したがって、シートのコストを抑制することができる。
【００４５】
上述した実施形態における制御装置１８０の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであってもよい。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１００…画像消去装置、１１０…給紙部、１１５…搬送部、１２０…読取部、１３０…消去部、１４０…画像形成部、１５０…操作部、１７０…排紙部、１８０…制御装置
【図１】
0006637261.tif 000002
【図２】
0006637261.tif 000003
【図３】
0006637261.tif 000004
【図４】
0006637261.tif 000005
【図５】
0006637261.tif 000006